(57)【要約】【課題】熱ローラの周壁に形成した気液二相の熱媒体を注入したジャケット室の封入口を、中空内を金属薄板で二分した弁を破損することなく簡単かつ確実に閉塞することができるようにすること。【解決手段】熱ローラ本体の周壁１内に、端部に外部と連通する封入孔３を有するジャケット室２を設け、前記封入孔３から前記ジャケット室に気液二相の熱媒体を注入したあと前記封入孔３の開口を、中空８ａ内を金属薄板６で仕切られその両側に前記中空８ａ内と連通する貫通孔８ｂ、８ｃを有する弁８で閉塞する際、前記弁８を円柱状に形成し、封入孔３が開口する端面と前記弁８の端面との間にオーリング９を挿入するとともに、弁８の端面とねじ７の端面とが当接する構成とする。これにより各孔の開口角部に、締め付け力が集中しなくなり弁８の破損を防ぐ。【選択図】    図１
2007335239.tif 000002
【特許請求の範囲】
【請求項１】
熱ローラ本体の周壁内に、端部に外部と連通する封入孔を有するジャケット室を設け、前記封入孔から前記ジャケット室に気液二相の熱媒体を注入したあと前記封入孔の開口を閉塞し、前記ジャケット室を密封してなる熱ローラ用ジャケット室の密封装置において、前記密封装置は、中空内を金属薄板で仕切られその両側に前記中空内と連通する貫通孔を有する弁と前記封入孔の開口を囲むオーリングと貫通孔を有するねじとからなり、前記弁を、前記弁の片側の貫通孔の開口を前記封入孔の開口と対向させて前記オーリングに当接して配置し、その弁の他の片側の貫通孔を有する端部を前記ねじでねじ締め固定して前記封入孔の開口を閉塞してなることを特徴とする熱ローラ用ジャケット室の密封装置。
【発明の詳細な説明】
【技術分野】
【０００１】
本発明は熱ローラ用ジャケット室の密封装置に関する。
【背景技術】
【０００２】
たとえばローラ本体の中空内に誘導コイルあるいは鉄心に誘導コイルを巻回した交番磁束発生機構を設置し、交番磁束発生機構が発生する交番磁束によりジュール発熱する、いわゆる誘導発熱ローラでは、一つの誘導コイルの長手方向の中心部における発熱量が多く、端部に行くにしたがい発熱量が小さくなる性質を有し、そのためにローラの長手方向における表面温度が不均一となる。この不均一を解消するためにローラ本体の周壁内に長手方向に沿ってジャケット室を設け、このジャケット室に水などの熱媒体を適量注入し、そのあと注入口を密封するようにしている。このようにすると発熱量が多い箇所で熱媒体が熱を奪って気化し、気化した熱媒体は発熱量が小さい箇所に移動して熱を放出して液化する。この潜熱移動によりローラ本体の長手方向の表面温度を均一化する。
【０００３】
ところで、気液二相の熱媒体を注入したジャケット室を密封すると、ローラ本体が異常に加熱された場合には、ジャケット室内部の圧力が異常に高められ、その圧力によってジャケット室ひいてはローラ本体が破損乃至は爆発する恐れがある。この恐れを防止するために、ジャケット室の注入口は、ジャケット室内部の圧力が所定の圧力以上になると開通する密封装置により密封するようにしている。
【０００４】
図３は、このような密封装置の一例を示すもので、図３において１は中空内に誘導コイルなどの加熱源を備えた熱ローラ本体の周壁、２は熱ローラ本体の周壁１の肉厚部内に熱ローラ本体１の長手方向に沿ってドリルなどで形成された図示しない一端が閉塞されたジャケット室、３はジャケット室２内に通じる小径の封入孔、４は封入孔３に連通し封入孔３と同心の大径のねじ孔であり、ジャケット室２は封入孔３およびねじ孔４を介して外気と連通している。
【０００５】
５はスチールからなる中空球状の弁であり、この弁５は、銅などの金属薄板６により、その中空内５ａを二分しており、金属薄板６で二分された両側の半球体のそれぞれの中央部に中空内５ａと連通する貫通孔５ｂおよび５ｃが形成されている。つまり金属薄板６の周縁は半球体の端面で挟まれて固着されており、貫通孔５ｂと貫通孔５ｃは延長線上に位置している。７はねじで、ねじ７は工具を差し込む周壁が６角状をなす凹状の穴７ａとこの穴７ａに連通する貫通孔７ｂが形成されている。
【０００６】
そして、中空球状の弁５を、その弁５の貫通孔５ｂを封入孔３に対向させ、また貫通孔５ｃをねじ７の貫通孔７ｂに対向させて大径のねじ孔４内に配置し、ねじ７の締め付けで小径の封入孔３の端部を閉塞する。      これによりローラ本体の加熱時ジャケット室２内の圧力が金属薄板６の厚みなどで設定した所定の圧力以下では金属薄板６でジャケット室２は密封された状態が維持されるが、その圧力を越えると金属薄板６は破裂し、この破裂によってジャケット室２内の圧力は弁５の貫通孔５ｂ、５ｃ、ねじ７の貫通孔７ｂおよび穴７ａを経由して外部に放出される。この放出によりジャケット室２ひいてはローラ本体の破損乃至は爆発を防止することができる。
【特許文献１】特開２００６−０９２８２２号公報
【発明の開示】
【発明が解決しようとする課題】
【０００７】
以上のように構成した密封装置では、中空球状の弁５の球面と封入孔３の角部周囲およびねじ７の貫通孔７ｂの角部周囲と当接してねじ７で締め付けられるので、その締め付け力が円形線の当接部に集中し、ジャケット室２内の許容圧力を高めるなどのため締め付け力を大きくすると弁５がその締め付け力で破損する場合があるといった問題があった。
【０００８】
本発明が解決しようとする課題は、中空内を金属薄板で二分した弁でジャケット室の封入孔を、該弁を破損することなく簡単かつ確実に密封することができるようにし、斯かる問題を解消する点にある。
【課題を解決するための手段】
【０００９】
本発明は、熱ローラ本体の周壁内に、端部に外部と連通する封入孔を有するジャケット室を設け、前記封入孔から前記ジャケット室に気液二相の熱媒体を注入したあと前記封入孔の開口を閉塞し、前記ジャケット室を密封してなる熱ローラ用ジャケット室の密封装置において、前記密封装置は、中空内を金属薄板で仕切られその両側に前記中空内と連通する貫通孔を有する弁と前記封入孔の開口を囲むオーリングと貫通孔を有するねじとからなり、前記弁を、前記弁の片側の貫通孔の開口を前記封入孔の開口と対向させて前記オーリングに当接して配置し、その弁の他の片側の貫通孔を有する端部を前記ねじでねじ締め固定して前記封入孔の開口を閉塞してなることを特徴とする。
【発明の効果】
【００１０】
発明では、金属薄板で仕切られた貫通孔を有する弁を、封入孔の開口を囲繞するオーリングに当接してねじ締め固定するので、ねじ締め力を低減することができ、ねじ締め力による弁の破損を防ぐことができる。
【発明を実施するための最良の形態】
【００１１】
中空内を金属薄板で二分した弁でジャケット室の封入孔を、該弁を破損することなく簡単かつ確実に密封することができるようにする目的を、ジャケット室の封入孔の開口を囲むオーリングを配置し、そのオーリングを介して前記弁をねじ締め固定することにより実現した。
【実施例１】
【００１２】
図１は、本発明の一実施例に係る熱ローラ用ジャケット室の密封装置の構成を示す断面図である。なお、図３に示す密封装置と同一部分および対応する部分には同一の符号を付し、その部の詳細な説明は省略する。図１において、７はねじ、８は弁、９はオーリングである。ねじ７は図３に示す密封装置のねじと同様に、工具を差し込む周壁が６角状をなす凹状の穴７ａと中央部にこの穴７ａに連通する貫通孔７ｂが形成されている。
【００１３】
弁８は、中空８ａを有し、ねじ孔４の内径と略同径の外径を有し、一方の端部に外径を小さくした段差８ｄを有する円柱状に形成され、中空８ａを銅などの金属薄板６により二分しており、金属薄板６で二分された両側の柱状体のそれぞれの中央部に中空内８ａと連通する貫通孔８ｂおよび８ｃが形成されている。オーリング９は、ねじ孔４の内径と略同径の外径を有し、弁８の外径を小さくした段差８ｄの外径と略同径の内径を有し、弁８の外径を小さくした段差８ｄの寸法より多少厚く形成されている。
【００１４】
ジャケット室２内に気液二相の熱媒体を注入したあと封入孔３の開口を閉塞する際、弁８の外径を小さくした段差８ｄにオーリング９を嵌め込んだ弁８をねじ孔４内に挿入し、ねじ７をねじ孔４内にねじ込み、ねじ７の端面を弁８の端面に当接させて、弁８をねじ締め固定する。この固定で弁８の片側の貫通孔８ｂの開口と封入孔３の開口と対向し、弁８の他方の片側の貫通孔８ｃの開口と、ねじ７の貫通孔７ｂの開口が対向する。また、封入孔３が開口する端面と弁８の端面との間はオーリング９によってシールされる。
【００１５】
すなわち、ねじ７による締め付け力はオーリング９によってシールされる程度で済み、またその締め付け力を多少大きくしても封入孔３の開口角部、弁８の貫通孔の開口角部に、その締め付け力が集中して加えられることがなく、これによりねじ７の締め付けで弁８が破損することを防止することができる。勿論、ローラ本体の加熱時ジャケット室２内の圧力が金属薄板６の厚みなどで設定した所定の圧力以下では金属薄板６でジャケット室２は密封された状態が維持されるが、その圧力を越えると金属薄板６は破裂し、この破裂によってジャケット室２内の圧力は弁８の貫通孔８ｂ、中空８ａ、貫通孔８ｃ、ねじ７の貫通孔７ｂおよび穴７ａを経由して外部に放出され、この放出によりローラ本体の破損乃至は爆発を防止することができる。
【実施例２】
【００１６】
図２は、本発明の他の実施例に係る熱ローラ用ジャケット室の密封装置の構成を示す断面図である。なお、図１に示す実施例と対応する部分には同一の符号を付している。図２において、１０は弁、１１はねじである。ねじ１１は工具を差し込む周壁が６角状をなす凹状の穴１１ａと端面の外周近傍位置で開口する穴１１ａに連通する複数の貫通孔１１ｂが形成されている。弁１０は中空１０ａを有し、片側がねじ孔４の内径と略同径の外径を有し、一方の端部に外径を小さくした段差１０ｄを有する円柱状に形成され、他の片側が半球状に形成され、中空１０ａを銅などの金属薄板６により二分しており、金属薄板６で二分された一方の柱状体の中央部に中空内１０ａと連通する貫通孔１０ｂが形成され、他方の半球体にはその端部で開口する中空内１０ａと連通する貫通孔１０ｂが形成されている。
【００１７】
ジャケット室２内に気液二相の熱媒体を注入したあと封入孔３の開口を閉塞する際、弁１０の外径を小さくした段差１０ｄにオーリング９を嵌め込んだ弁１０をねじ孔４内に挿入し、ねじ１１をねじ孔４内にねじ込み、ねじ１０の端面を弁１０の球面に当接させて、弁１０をねじ締め固定する。この固定で弁１０の片側の貫通孔１０ｂの開口と封入孔３の開口と対向し、封入孔３が開口する端面と弁８の端面との間はオーリング９によってシールされる。弁１０の他方の片側の貫通孔１０ｃとねじ７の貫通孔１１ｂはねじ孔４内の空隙を介して連通する。
【００１８】
以上のように密封装置を構成しても、ねじ１１による締め付け力はオーリング９によってシールされる程度で済み、またまたその締め付け力を多少大きくしても封入孔３の開口角部、弁１０の貫通孔の開口角部に、その締め付け力が集中して加えられることがなく、これによりねじ１１の締め付けで弁１０が破損することを防止することができる。勿論、ローラ本体の加熱時ジャケット室２内の圧力が金属薄板６の厚みなどで設定した所定の圧力以下では金属薄板６でジャケット室２は密封された状態が維持されるが、その圧力を越えると金属薄板６は破裂し、この破裂によってジャケット室２内の圧力は弁１０の貫通孔１０ｂ、中空１０ａ、貫通孔１０ｃ、ねじ孔４、ねじ１１の貫通孔１１ｂおよび穴１１ａを経由して外部に放出され、この放出によりローラ本体の破損乃至は爆発を防止することができる。
【図面の簡単な説明】
【００１９】
【図１】本発明の実施例に係る密封装置の構成を示す断面図である。
【図２】本発明の他の実施例に係る密封装置の構成を示す図である。
【図３】従来の密封装置の構成を示す断面図である。
【符号の説明】
【００２０】
１  熱ローラ本体の周壁
２  ジャケット室
３  封入孔
４  ねじ孔
６  金属薄板
７、１１  ねじ
７ｂ、１１ｂ  貫通孔
８、１０  弁
８ａ、１０ａ  中空部
８ｂ、８ｃ、１０ｂ、１０ｃ  貫通孔
９  オーリング
【図１】
2007335239.tif 000003
【図２】
2007335239.tif 000004
【図３】
2007335239.tif 000005